(57)【要約】【課題】色味を低減した白表示が可能な液晶表示装置及びこれを備える電子機器を提供すること。【解決手段】画素電極１１は、共通電極４１よりもゲート絶縁膜３２及び層間絶縁膜３３を介して液晶層２３側に設けられていると共に、サブ画素領域内において所定の間隔を隔てて互いに平行に延在して配置された複数の帯状電極１１ｂを備えており、共通電極４１は、サブ画素領域内において間隔及び複数の帯状電極１１ｂを含む領域に設けられており、複数の色のうち所定の色の表示を行うサブ画素領域内に設けられた帯状電極１１ｂの延在方向と初期状態での液晶分子の配向方向とのなす角は、所定の色よりも相対的に波長が短い色の表示を行うサブ画素領域内に設けられた帯状電極１１ｂの延在方向と初期状態での液晶分子の配向方向とのなす角よりも大きく設定されている。【選択図】図３
2008090280.tif 000002
【特許請求の範囲】
【請求項１】
液晶層を挟持して平面状に配置された複数のサブ画素領域を構成する一対の基板のうち
一方の基板には、第１電極と、該第１電極に接続された駆動素子と、第２電極と、前記第
１電極と前記第２電極の間に設けられた絶縁層とが備えられ、
前記第１及び第２電極間に生じる電界によって前記液晶層を構成する液晶分子を駆動さ
せ、前記複数のサブ画素領域から波長域の異なる複数の色表示を行う液晶表示装置であっ
て、
前記第１及び第２電極のうちいずれか一方の電極は、他方の電極よりも前記液晶層側に
設けられていると共に、前記サブ画素領域内において所定の間隔を隔てて互いに平行に延
在して配置された複数の帯状部を備えており、
前記他方の電極は、前記サブ画素領域内において前記間隔及び前記複数の帯状部を含む
領域に設けられており、
前記複数の色のうち所定の色の表示を行う前記サブ画素領域内に設けられた前記帯状部
の延在方向と初期状態での前記液晶分子の配向方向とのなす角は、前記所定の色よりも相
対的に波長が短い色の表示を行う前記サブ画素領域内に設けられた前記帯状部の延在方向
と初期状態での前記液晶分子の配向方向とのなす角よりも大きく設定されていることを特
徴とする液晶表示装置。
【請求項２】
前記複数のサブ画素領域が、赤、緑及び青の色表示を行うことを特徴とする請求項１に
記載の液晶表示装置。
【請求項３】
赤の色表示を行う前記サブ画素領域に設けられた前記一方の電極の前記帯状部の延在方
向と前記配向方向とのなす角が、４°以上１０°以下であり、
緑の色表示を行う前記サブ画素領域に設けられた前記一方の電極の前記帯状部の延在方
向と前記配向方向とのなす角が、２°以上８°以下であり、
青の色表示を行う前記サブ画素領域に設けられた前記一方の電極の前記帯状部の延在方
向と前記配向方向とのなす角が、０°以上６°以下であることを特徴とする請求項２に記
載の液晶表示装置。
【請求項４】
赤の色表示を行う前記サブ画素領域に設けられた前記一方の電極の前記帯状部の延在方
向と前記配向方向とのなす角と緑の色表示を行う前記サブ画素領域に設けられた前記一方
の電極の前記帯状部の延在方向と前記配向方向とのなす角との差と、緑の色表示を行う前
記サブ画素領域に設けられた前記一方の電極の前記帯状部の延在方向と前記配向方向との
なす角と青の色表示を行う前記サブ画素領域に設けられた前記一方の電極の前記帯状部の
延在方向と前記配向方向とのなす角との差が、それぞれ２°であることを特徴とする請求
項３に記載の液晶表示装置。
【請求項５】
赤の色表示を行う前記サブ画素領域に設けられた前記一方の電極の前記帯状部の延在方
向と前記配向方向とのなす角が、１２°以上１７°以下であり、
緑の色表示を行う前記サブ画素領域に設けられた前記一方の電極の前記帯状部の延在方
向と前記配向方向とのなす角が、７°以上１２°以下であり、
青の色表示を行う前記サブ画素領域に設けられた前記一方の電極の前記帯状部の延在方
向と前記配向方向とのなす角が、０°以上５°以下であることを特徴とする請求項２に記
載の液晶表示装置。
【請求項６】
赤の色表示を行う前記サブ画素領域に設けられた前記一方の電極の前記帯状部の延在方
向と前記配向方向とのなす角と緑の色表示を行う前記サブ画素領域に設けられた前記一方
の電極の前記帯状部の延在方向と前記配向方向とのなす角との差が、５°であり、
緑の色表示を行う前記サブ画素領域に設けられた前記一方の電極の前記帯状部の延在方
向と前記配向方向とのなす角と青の色表示を行う前記サブ画素領域に設けられた前記一方
の電極の前記帯状部の延在方向と前記配向方向とのなす角との差が、７°であることを特
徴とする請求項５に記載の液晶表示装置。
【請求項７】
赤の色表示を行う前記サブ画素領域に設けられた前記一方の電極の前記帯状部の延在方
向と前記配向方向とのなす角が、１８°以上２３°以下であり、
緑の色表示を行う前記サブ画素領域に設けられた前記一方の電極の前記帯状部の延在方
向と前記配向方向とのなす角が、１３°以上１８°以下であり、
青の色表示を行う前記サブ画素領域に設けられた前記一方の電極の前記帯状部の延在方
向と前記配向方向とのなす角が、２°以上７°以下であることを特徴とする請求項２に記
載の液晶表示装置。
【請求項８】
赤の色表示を行う前記サブ画素領域に設けられた前記一方の電極の前記帯状部の延在方
向と前記配向方向とのなす角と緑の色表示を行う前記サブ画素領域に設けられた前記一方
の電極の前記帯状部の延在方向と前記配向方向とのなす角との差が、５°であり、
緑の色表示を行う前記サブ画素領域に設けられた前記一方の電極の前記帯状部の延在方
向と前記配向方向とのなす角と青の色表示を行う前記サブ画素領域に設けられた前記一方
の電極の前記帯状部の延在方向と前記配向方向とのなす角との差が、１１°であることを
特徴とする請求項７に記載の液晶表示装置。
【請求項９】
前記一方の基板が、前記液晶層と接して初期状態での前記液晶分子の配向方向を規制す
る配向膜を有し、
該配向膜の配向方向が、複数の前記サブ画素領域で同一方向であることを特徴とする請
求項１から８のいずれか１項に記載の液晶表示装置。
【請求項１０】
前記一方の電極が、前記複数の帯状部それぞれの一端を互いに接続する接続部を有し、
前記複数の帯状部それぞれの他端が、開放端となっていることを特徴とする請求項１か
ら９のいずれか１項に記載の液晶表示装置。
【請求項１１】
他方の前記電極が、前記一対の電極間の電界を制御する駆動素子に接続されていること
を特徴とする請求項１から１０のいずれか１項に記載の液晶表示装置。
【請求項１２】
請求項１から１１のいずれか１項に記載の液晶表示装置を備えることを特徴とする電子
機器。
【発明の詳細な説明】
【技術分野】
【０００１】
本発明は、横電界駆動方式を用いた液晶表示装置及びこれを備える電子機器に関するも
のである。
【背景技術】
【０００２】
従来から、液晶表示装置の高視野角化を図る一手段として、液晶層に対して基板方向の
電界を発生させて液晶分子の配向制御を行う方式（以下、横電界方式と称する）を用いる
ことが知られており、このような横電界方式としてＩＰＳ（In-Plane Switching）方式や
ＦＦＳ（Fringe-Field Switching）方式が知られている（例えば、特許文献１参照）。
【０００３】
一般に、このような横電界方式を用いた液晶表示装置では、液晶層を挟持する一対の基
板のうちの一方に液晶層を駆動するための一対の電極が設けられている。また、例えば横
電界方式を用いた透過型の液晶表示装置では、一対の電極間に電圧を印加して液晶層に横
電界を発生させることにより、液晶層を透過する光に対して１／２波長分の位相差を付与
している。そして、ノーマリブラックモードを採用した液晶表示装置では、一方の基板の
外面から所定の偏光方向を有する直線偏光を入射させ、液晶層で１／２波長分の位相差を
付与して他方の基板に設けられたカラーフィルタを透過させた後、他方の基板から出射さ
せる。
【特許文献１】特開２００５−２３４５２７号公報
【発明の開示】
【発明が解決しようとする課題】
【０００４】
しかしながら、上記従来の液晶表示装置においても、以下の課題が残されている。すな
わち、液晶表示装置では、上述したように、液晶層に横電界を発生させることにより光に
対して１／２波長分の位相差を付与している。そのため、例えば緑色光に対して１／２波
長分の位相差が付与されるように液晶層の層厚を設定した場合には、赤色光や青色光の波
長域が緑色光と異なることなどの原因により、液晶層を透過したときに１／２波長分の位
相差が付与されないことがある。例えば、赤色光の場合には、緑色光よりも波長域が長い
ために、液晶層を透過したときに１／２波長分よりも大きい位相差が付与される。これに
より、赤、緑及び青のそれぞれの色表示を行うサブ画素領域において、液晶表示装置から
出射する光の輝度が最大となるときの一対の電極間に印加される電圧の値が異なることに
なる。したがって、一対の電極間に同じ値の電圧を印加したときに複数のサブ画素領域に
よる白表示が、色味がかった白表示になるという問題がある。
【０００５】
本発明は、上記従来の問題に鑑みてなされたもので、色味を低減した白表示が可能な液
晶表示装置及びこれを備える電子機器を提供することを目的とする。
【課題を解決するための手段】
【０００６】
本発明は、前記課題を解決するために以下の構成を採用した。すなわち、本発明にかか
る液晶表示装置は、液晶層を挟持して平面状に配置された複数のサブ画素領域を構成する
一対の基板のうち一方の基板には、第１電極と、該第１電極に接続された駆動素子と、第
２電極と、前記第１電極と前記第２電極の間に設けられた絶縁層とが備えられ、前記第１
及び第２電極間に生じる電界によって前記液晶層を構成する液晶分子を駆動させ、前記複
数のサブ画素領域から波長域の異なる複数の色表示を行う液晶表示装置であって、前記第
１及び第２電極のうちいずれか一方の電極は、他方の電極よりも前記液晶層側に設けられ
ていると共に、前記サブ画素領域内において所定の間隔を隔てて互いに平行に延在して配
置された複数の帯状部を備えており、前記他方の電極は、前記サブ画素領域内において前
記間隔及び前記複数の帯状部を含む領域に設けられており、前記複数の色のうち所定の色
の表示を行う前記サブ画素領域内に設けられた前記帯状部の延在方向と初期状態での前記
液晶分子の配向方向とのなす角は、前記所定の色よりも相対的に波長が短い色の表示を行
う前記サブ画素領域内に設けられた前記帯状部の延在方向と初期状態での前記液晶分子の
配向方向とのなす角よりも大きく設定されていることを特徴とする。
【０００７】
この発明では、配向方向と帯状部とのなす角度を変更することで、各色表示を行うサブ
画素領域ごとで液晶層において付与される位相差をそろえることができる。これにより、
色味を低減した白表示を行うことができる。
【０００８】
すなわち、第１及び第２電極間に電圧を印加したとき、発生した横電界による液晶分子
の回転角度は、初期状態における配向方向と帯状部の延在方向とのなす角を大きくするに
したがって小さくなる。そして、液晶層に入射した光に付与される位相差は、発生した横
電界による液晶分子の回転角度が大きくなるにしたがって大きくなる。そこで、表示する
色の波長域が短いサブ画素領域において初期状態での配向方向と帯状部の延在方向とのな
す角度を相対的に大きくすると、表示する色の波長域が長いサブ画素領域と同じ電圧を印
加しても、このサブ画素領域で表示する短い波長域に対して液晶層で付与される位相差が
小さくなる。これにより、各サブ画素領域で第１及び第２電極間に同じ電圧を印加したと
きに、サブ画素領域ごとで液晶層において付与される位相差をそろえることができる。以
上より、各サブ画素領域で輝度が最大となる電圧が同等となり、色味を低減した白表示が
可能となる。
【０００９】
また、本発明の液晶表示装置は、前記複数のサブ画素領域が、赤、緑及び青の色表示を
行うこととしてもよい。
【００１０】
この発明では、赤の色表示を行うサブ画素領域と、緑の色表示を行うサブ画素領域と、
青の色表示を行うサブ画素領域とを組み合わせることにより、色味を低減した白表示を行
う。このとき、配向方向と帯状部の延在方向とのなす角度は、青の色表示を行うサブ画素
領域、緑の色表示を行うサブ画素領域、赤の色表示を行うサブ画素領域の順で大きくなる
。
【００１１】
また、本発明の液晶表示装置は、赤の色表示を行う前記サブ画素領域に設けられた前記
一方の電極の前記帯状部の延在方向と前記配向方向とのなす角が、４°以上１０°以下で
あり、緑の色表示を行う前記サブ画素領域に設けられた前記一方の電極の前記帯状部の延
在方向と前記配向方向とのなす角が、２°以上８°以下であり、青の色表示を行う前記サ
ブ画素領域に設けられた前記一方の電極の前記帯状部の延在方向と前記配向方向とのなす
角が、０°以上６°以下であることが好ましい。
【００１２】
この発明では、赤、緑、青の色表示を行うサブ画素領域に設けられた帯状部の延在方向
と配向方向とのなす角それぞれを、４°以上１０°以下、２°以上８°以下、０°以上６
°以下とすることで、白表示に赤味が足りなくなることや、白表示が赤味を帯びること、
白表示に緑味が足りなくなることや、白表示が緑味を帯びること、白表示に青味が足りな
くなることや、白表示が青味を帯びることをより確実に防止できる。
【００１３】
ここで、赤の色表示を行うサブ画素領域において帯状部の延在方向と配向方向とのなす
角度は、７°であることがより好ましい。これにより、液晶層において、赤色光に対して
１／２波長分の位相差を付与することができる。また、緑の色表示を行うサブ画素領域に
おいて帯状部の延在方向と配向方向とのなす角度は、５°であることがより好ましい。こ
れにより、上述と同様に、液晶層において、緑色光に対して１／２波長分の位相差を付与
することができる。そして、青の色表示を行うサブ画素領域において帯状部の延在方向と
配向方向とのなす角度は、３°であることがより好ましい。これにより、液晶層において
、青色光に対して１／２波長分の位相差を付与することができる。
【００１４】
また、本発明の液晶表示装置は、赤の色表示を行う前記サブ画素領域に設けられた前記
一方の電極の前記帯状部の延在方向と前記配向方向とのなす角と緑の色表示を行う前記サ
ブ画素領域に設けられた前記一方の電極の前記帯状部の延在方向と前記配向方向とのなす
角との差と、緑の色表示を行う前記サブ画素領域に設けられた前記一方の電極の前記帯状
部の延在方向と前記配向方向とのなす角と青の色表示を行う前記サブ画素領域に設けられ
た前記一方の電極の前記帯状部の延在方向と前記配向方向とのなす角との差が、それぞれ
２°であることが好ましい。
【００１５】
この発明では、各角度の差を２°とすることで、各サブ画素領域で液晶層において付与
される位相差をより確実にそろえることができる。したがって、色味をさらに低減した白
表示を行うことができる。
【００１６】
また、本発明の液晶表示装置は、赤の色表示を行う前記サブ画素領域に設けられた前記
一方の電極の前記帯状部の延在方向と前記配向方向とのなす角が、１２°以上１７°以下
であり、緑の色表示を行う前記サブ画素領域に設けられた前記一方の電極の前記帯状部の
延在方向と前記配向方向とのなす角が、７°以上１２°以下であり、青の色表示を行う前
記サブ画素領域に設けられた前記一方の電極の前記帯状部の延在方向と前記配向方向との
なす角が、０°以上５°以下であることが好ましい。
【００１７】
この発明では、赤、緑、青の色表示を行うサブ画素領域に設けられた帯状部の延在方向
と配向方向とのなす角それぞれを、１２°以上１７°以下、７°以上１２°以下、０°以
上５°以下とすることで、白表示に赤味が足りなくなることや、白表示が赤味を帯びるこ
と、白表示に緑味が足りなくなることや、白表示が緑味を帯びること、白表示に青味が足
りなくなることや、白表示が青味を帯びることをより確実に防止できる。
【００１８】
ここで、赤の色表示を行うサブ画素領域において帯状部の延在方向と配向方向とのなす
角度は、１５°であることがより好ましい。これにより、液晶層において、赤色光に対し
て１／２波長分の位相差を付与することができる。また、緑の色表示を行うサブ画素領域
において帯状部の延在方向と配向方向とのなす角度は、１０°であることがより好ましい
。これにより、上述と同様に、液晶層において、緑色光に対して１／２波長分の位相差を
付与することができる。そして、青の色表示を行うサブ画素領域において帯状部の延在方
向と配向方向とのなす角度は、３°であることがより好ましい。これにより、液晶層にお
いて、青色光に対して１／２波長分の位相差を付与することができる。
【００１９】
また、本発明の液晶表示装置は、赤の色表示を行う前記サブ画素領域に設けられた前記
一方の電極の前記帯状部の延在方向と前記配向方向とのなす角と緑の色表示を行う前記サ
ブ画素領域に設けられた前記一方の電極の前記帯状部の延在方向と前記配向方向とのなす
角との差が、５°であり、緑の色表示を行う前記サブ画素領域に設けられた前記一方の電
極の前記帯状部の延在方向と前記配向方向とのなす角と青の色表示を行う前記サブ画素領
域に設けられた前記一方の電極の前記帯状部の延在方向と前記配向方向とのなす角との差
が、７°であることが好ましい。
【００２０】
この発明では、赤の色表示を行うサブ画素領域における角度と緑の色表示を行うサブ画
素領域における角度との差を５°、緑の色表示を行うサブ画素領域における角度と青の色
表示を行うサブ画素領域における角度との差を７°とすることで、各サブ画素領域で液晶
層において付与される位相差をより確実にそろえることができる。したがって、色味をさ
らに低減した白表示を行うことができる。
【００２１】
また、本発明の液晶表示装置は、赤の色表示を行う前記サブ画素領域に設けられた前記
一方の電極の前記帯状部の延在方向と前記配向方向とのなす角が、１８°以上２３°以下
であり、緑の色表示を行う前記サブ画素領域に設けられた前記一方の電極の前記帯状部の
延在方向と前記配向方向とのなす角が、１３°以上１８°以下であり、青の色表示を行う
前記サブ画素領域に設けられた前記一方の電極の前記帯状部の延在方向と前記配向方向と
のなす角が、２°以上７°以下であることが好ましい。
【００２２】
この発明では、赤、緑、青の色表示を行うサブ画素領域に設けられた帯状部の延在方向
と配向方向とのなす角それぞれを、１８°以上２３°以下、１３°以上１８°以下、２°
以上７°以下とすることで、白表示に赤味が足りなくなることや、白表示が赤味を帯びる
こと、白表示に緑味が足りなくなることや、白表示が緑味を帯びること、白表示に青味が
足りなくなることや、白表示が青味を帯びることをより確実に防止できる。
【００２３】
ここで、赤の色表示を行うサブ画素領域において帯状部の延在方向と配向方向とのなす
角度は、２０°であることがより好ましい。これにより、液晶層において、赤色光に対し
て１／２波長分の位相差を付与することができる。また、緑の色表示を行うサブ画素領域
において帯状部の延在方向と配向方向とのなす角度は、１５°であることがより好ましい
。これにより、上述と同様に、液晶層において、緑色光に対して１／２波長分の位相差を
付与することができる。そして、青の色表示を行うサブ画素領域において帯状部の延在方
向と配向方向とのなす角度は、５°であることがより好ましい。これにより、液晶層にお
いて、青色光に対して１／２波長分の位相差を付与することができる。
【００２４】
また、本発明の液晶表示装置は、赤の色表示を行う前記サブ画素領域に設けられた前記
一方の電極の前記帯状部の延在方向と前記配向方向とのなす角と緑の色表示を行う前記サ
ブ画素領域に設けられた前記一方の電極の前記帯状部の延在方向と前記配向方向とのなす
角との差が、５°であり、緑の色表示を行う前記サブ画素領域に設けられた前記一方の電
極の前記帯状部の延在方向と前記配向方向とのなす角と青の色表示を行う前記サブ画素領
域に設けられた前記一方の電極の前記帯状部の延在方向と前記配向方向とのなす角との差
が、１１°であることが好ましい。
【００２５】
この発明では、赤の色表示を行うサブ画素領域における角度と緑の色表示を行うサブ画
素領域における角度との差を５°、緑の色表示を行うサブ画素領域における角度と青の色
表示を行うサブ画素領域における角度との差を１１°とすることで、各サブ画素領域で液
晶層において付与される位相差をより確実にそろえることができる。したがって、色味を
さらに低減した白表示を行うことができる。
【００２６】
また、本発明の液晶表示装置は、前記一方の電極が、前記複数の帯状部それぞれの一端
を互いに接続する接続部を有し、前記複数の帯状部それぞれの他端が、開放端となってい
ることが好ましい。
【００２７】
この発明では、帯状部の他端を開放端にすることで、開口率が向上する。
【００２８】
また、本発明の液晶表示装置は、他方の前記電極が、前記一対の電極間の電界を制御す
る駆動素子に接続されていることとしてもよい。
【００２９】
この発明では、駆動素子に接続されない一方電極を駆動素子に接続される他方の電極よ
りも液晶層に近接して配置する。
【００３０】
また、本発明の電子機器は、上記記載の液晶表示装置を備えることを特徴とする。
この発明では、上述したように、色味を低減した白表示を行うことが可能となる。
【発明を実施するための最良の形態】
【００３１】
［第１の実施形態］
以下、本発明における液晶表示装置の第１の実施形態を、図面に基づいて説明する。な
お、以下の説明に用いる各図面では、各部材を認識可能な大きさとするために縮尺を適宜
変更している。ここで、図１は液晶表示装置の等価回路図、図２は液晶表示装置のサブ画
素領域を示す部分拡大平面構成図、図３は図２のＡ−Ａ’矢視断面図、図４は図２の光学
軸配置を示す説明図である。
【００３２】
〔液晶表示装置〕
本実施形態における液晶表示装置１は、ＦＦＳ方式を用いたカラー液晶表示装置であっ
て、Ｒ（赤）、Ｇ（緑）、Ｂ（青）の各色光を出力する３個のサブ画素で１個の画素を構
成する液晶表示装置である。ここで、表示を構成する最小単位となる表示領域を「サブ画
素領域」、一組（Ｒ、Ｇ、Ｂ）のサブ画素から構成される表示領域を「画素領域」と称す
る。
【００３３】
まず、液晶表示装置１の概略構成について説明する。液晶表示装置１は、図１に示すよ
うに、画素表示領域を構成する複数のサブ画素領域がマトリックス状に配置されている。
【００３４】
また、液晶表示装置１の画素表示領域を構成する複数のサブ画素領域には、それぞれ画
素電極（第１電極）１１と、画素電極１１をスイッチング制御するためのＴＦＴ（Thin F
ilm Transistor：薄膜トランジスタ）素子１２とが形成されている。このＴＦＴ素子１２
は、ソースが液晶表示装置１に設けられたデータ線駆動回路１３から延在するデータ線１
４に接続され、ゲートが液晶表示装置１に設けられた走査線駆動回路１５から延在する走
査線１６に接続され、ドレインが画素電極１１に接続されている。
【００３５】
データ線駆動回路１３は、データ線１４を介して画像信号Ｓ１、Ｓ２、…、Ｓｎを各サ
ブ画素領域に供給する構成となっている。また、走査線駆動回路１５は、走査線１６を介
して走査信号Ｇ１、Ｇ２、…、Ｇｍを各サブ画素領域に供給する構成となっている。ここ
で、データ線駆動回路１３は、画像信号Ｓ１〜Ｓｎをこの順で線順次で供給してもよく、
互いに隣接する複数のデータ線１４同士に対してグループごとに供給してもよい。また、
走査線駆動回路１５は、走査信号Ｇ１〜Ｇｍを所定のタイミングでパルス的に線順次で供
給する。
【００３６】
そして、液晶表示装置１は、スイッチング素子であるＴＦＴ素子１２が走査信号Ｇ１〜
Ｇｍの入力により一定期間だけオン状態とされることで、データ線１４から供給される画
像信号Ｓ１〜Ｓｎが所定のタイミングで画素電極１１に書き込まれる構成となっている。
そして、画素電極１１を介して液晶に書き込まれた所定レベルの画像信号Ｓ１〜Ｓｎは、
画素電極１１と液晶を介して配置された後述する共通電極（第２電極）４１との間で一定
期間保持される。ここで、保持された画像信号Ｓ１〜Ｓｎがリークすることを防止するた
め、画素電極１１と後述する共通電極４１との間に形成される液晶容量と並列接続される
ように蓄積容量１８が付与されている。この蓄積容量１８は、ＴＦＴ素子１２のドレイン
と容量線１９との間に設けられている。
【００３７】
次に、液晶表示装置１の詳細な構成について、図２及び図３を参照しながら説明する。
なお、図２では、対向基板の図示を省略している。また、図３では、画素電極を構成する
帯状電極の図示を適宜省略している。
【００３８】
液晶表示装置１は、図３に示すように、素子基板（一方の基板）２１と、素子基板２１
と対向配置された対向基板（他方の基板）２２と、素子基板２１と対向基板２２との間に
挟持された液晶層２３と、素子基板２１の外面側（液晶層２３と反対側）に設けられた偏
光板２４と、対向基板２２の外面側に設けられた偏光板２５とを備えている。そして、液
晶表示装置１は、素子基板２１の外面側から照明光が照射される構成となっている。
また、液晶表示装置１には、素子基板２１と対向基板２２とが対向する領域の縁端に沿
ってシール材（図示略）が設けられており、このシール材、素子基板２１及び対向基板２
２によって液晶層２３が封止されている。
【００３９】
素子基板２１は、例えばガラスや石英、プラスチックなどの透光性材料からなる基板本
体３１と、基板本体３１の内側（液晶層２３側）の表面に順に積層されたゲート絶縁膜（
絶縁層）３２、層間絶縁膜（絶縁層）３３及び配向膜３４とを備えている。
【００４０】
また、素子基板２１は、基板本体３１の内側の表面に配置された走査線１６、容量線１
９及び共通電極４１と、ゲート絶縁膜３２の内側の表面に配置されたデータ線１４（図２
に示す）、半導体層４２、ソース電極４３、ドレイン電極４４及び容量電極４５と、層間
絶縁膜３３の内側の表面に配置された画素電極１１とを備えている。
【００４１】
ゲート絶縁膜３２は、窒化シリコンや酸化シリコンなどのような絶縁性を有する透光性
材料で構成されており、基板本体３１上に形成された走査線１６、容量線１９及び共通電
極４１を覆うように設けられている。
【００４２】
層間絶縁膜３３は、ゲート絶縁膜３２と同様に、窒化シリコンや酸化シリコンなどの絶
縁性を有する透光性材料で構成されており、ゲート絶縁膜３２上に形成された半導体層４
２、ソース電極４３、ドレイン電極４４及び容量電極４５を覆うように設けられている。
そして、層間絶縁膜３３のうち平面視で画素電極１１の後述する枠部１１ａ及び容量電極
４５と重なる部分には、画素電極１１とＴＦＴ素子１２との導通を図るための貫通孔であ
るコンタクトホール３３ａが形成されている。
【００４３】
配向膜３４は、例えばポリイミドなどの有機材料で構成されており、層間絶縁膜３３上
に形成された画素電極１１を覆うように設けられている。
【００４４】
そして、配向膜３４の上面には、液晶層２３を構成する液晶分子を配向規制するための
配向処理が施されている。この配向膜３４の配向方向は、図４に示す矢印Ｒ１方向のよう
に、Ｘ軸（走査線１６、あるいは容量線１９に沿った方向）と同方向となっている。すな
わち、配向膜３４の配向方向は、サブ画素領域で表示する色によらず同一方向となってい
る。したがって、配向膜３４に対して容易に配向処理を施すことが可能となっている。
【００４５】
データ線１４は、図２に示すように、Ｙ軸方向（データ線１４とほぼ直交した方向）に
延在しており、走査線１６及び容量線１９は、Ｘ軸方向に延在している。したがって、デ
ータ線１４、走査線１６及び容量線１９が平面視でほぼ格子状に配線されている。
【００４６】
半導体層４２は、走査線１６と平面視で重なる領域に部分的に形成されたアモルファス
シリコンなどの半導体で構成されている。また、ソース電極４３は、図２に示すように、
平面視でほぼ逆Ｌ字状を有する配線であって、データ線１４から分岐して半導体層４２と
導通している。そして、ドレイン電極４４は、図２に示す−Ｙ側の端部においてサブ画素
領域の辺端に沿って延在する接続配線４７と導通しており、接続配線４７を介してサブ画
素領域の反対側の端縁部に形成された容量電極４５と導通している。これら半導体層４２
、ソース電極４３及びドレイン電極４４によってＴＦＴ素子１２が構成される。したがっ
て、ＴＦＴ素子１２は、データ線１４及び走査線１６の交差部近傍に設けられている。
【００４７】
容量電極４５は、平面視でほぼ矩形状を有しており、容量線１９と平面視で重なると共
に容量電極４５上に画素電極１１の枠部１１ａのうち図２に示す−Ｙ側の端縁部と平面視
で重なるように形成されている。そして、容量電極４５は、枠部１１ａのうち−Ｙ側の端
縁部と平面視で重なる位置に設けられて層間絶縁膜３３を貫通するコンタクトホール３３
ａを介して画素電極１１と導通している。また、容量電極４５と容量線１９とによって蓄
積容量１８が形成されている。
【００４８】
画素電極１１は、平面視でほぼ梯子形状であって、例えばＩＴＯ（酸化インジウムスズ
）などの透光性導電材料で構成されている。そして、画素電極１１は、平面視で矩形の枠
状の枠部１１ａと、ほぼＸ軸方向に延在（走査線１６に対して所定の角度を有して斜めに
延在）すると共にＹ軸方向（サブ画素領域の長手方向）で間隔をあけて互いに平行となる
ように複数（１５本）配置された帯状電極（帯状部）１１ｂとを備えている。
【００４９】
帯状電極１１ｂは、その両端がそれぞれ枠部１１ａのうちのＹ軸方向に延在する部分と
接続されており、互いに導通している。ここで、赤の色表示を行うサブ画素領域における
帯状電極１１ｂの延在方向は、図４に示す矢印Ｒ２方向であって液晶分子の初期状態にお
ける配向方向である配向膜３４の配向方向（Ｒ１方向）とのなす角が７°となっている。
また、緑の色表示を行うサブ画素領域における帯状電極１１ｂの延在方向は、図４に示す
矢印Ｒ３方向であって配向膜３４の配向方向とのなす角が５°となっている。そして、青
の色表示を行うサブ画素領域における帯状電極１１ｂの延在方向は、図４に示す矢印Ｒ４
方向であって配向膜３４の配向方向とのなす角が３°となっている。
【００５０】
すなわち、帯状電極１１ｂの延在方向と配向膜３４の配向方向とのなす角は、帯状電極
１１ｂが設けられたサブ画素領域で表示する色の波長域が短いほど大きくなっている。ま
た、各サブ画素領域で帯状電極１１ｂの延在方向と配向膜３４の配向方向とのなす角の調
整は、帯状電極１１ｂの延在方向を変更することによって行っている。
【００５１】
共通電極４１は、平面視で図２に示すように、サブ画素領域内において複数の帯状電極
１１ｂ及び帯状電極１１ｂ同士の間隔と重なる領域に設けられており、画素電極１１と同
様に、例えばＩＴＯなどの透光性導電材料で構成されている。そして、共通電極４１は、
画素電極１１よりも液晶層２３から離間する側（本実施形態では、画素電極１１と基板本
体３１との間）に配置されている。
【００５２】
以上より、画素電極１１と共通電極４１とは、絶縁層を構成するゲート絶縁膜３２及び
層間絶縁膜３３を介して配置されている。また、画素電極１１を構成する帯状電極１１ｂ
は、その間隔が帯状電極１１ｂの電極幅や液晶層２３の層厚よりも小さくなっている。こ
れにより、画素電極１１と共通電極４１とは、ＦＦＳ方式の電極構造を構成している。
【００５３】
対向基板２２は、図３に示すように、例えばガラスや石英、プラスチックなどの透光性
材料で構成され基板本体５１と、基板本体５１の内側（液晶層２３側）の表面に順に積層
されたカラーフィルタ層５２及び配向膜５３とを備えている。
【００５４】
カラーフィルタ層５２は、サブ画素領域に対応して配置されており、例えばアクリルな
どで構成されて各サブ画素領域で表示する色に対応する色材を含有している。
【００５５】
配向膜５３は、例えばポリイミドなどの有機材料やシリコン酸化物などの無機材料で構
成されており、その配向方向が配向膜３４の配向方向と同方向（ただし、逆向き）となっ
ている。
【００５６】
液晶層２３は、その層厚が液晶層２３を透過する緑色光に対して１／２波長分の位相差
を付与する程度となっている。
【００５７】
偏光板２４、２５は、それぞれの透過軸が互いに直交するように設けられている。すな
わち、偏光板２４の透過軸は図４に示す矢印Ｒ５方向のようにＹ軸方向となっており、偏
光板２５の透過軸は矢印Ｒ６方向のように偏光板２４の透過軸と直交するＸ軸方向となっ
ている。
【００５８】
〔液晶表示装置の動作〕
続いて、以上のような構成の液晶表示装置１の動作について説明する。
【００５９】
本実施形態における液晶表示装置１は、ＦＦＳ方式を用いた横電界方式の液晶表示装置
であり、ＴＦＴ素子１２を介して画素電極１１に画像信号（電圧）を供給することで、画
素電極１１と共通電極４１との間に基板面方向の電界を生じさせ、この電界によって液晶
を駆動する。そして、液晶表示装置１は、サブ画素領域ごとに透過率を変更させて表示を
行う。なお、共通電極４１には、例えば、液晶層の駆動に用いられる所定の一定な電位、
あるいは０Ｖが印加されるもの、または所定の一定な電位とこれとは異なる他の所定の一
定の電位とが周期的（フレーム期間毎、あるいはフィルド期間）に切り替わる信号が印加
されるものとされている。
【００６０】
すなわち、画素電極１１に電圧を印加しない状態において、液晶層２３を構成する液晶
分子は、図４に示す矢印Ｒ１方向に水平配向している。そして、画素電極１１及び共通電
極４１を介して画素電極１１を構成する帯状電極１１ｂの延在方向に対して直交する方向
に沿う電界を液晶層２３に発生させると、この方向に沿って液晶分子が配向する。
【００６１】
液晶表示装置１において、照明光は、偏光板２４を透過することで偏光板２４の透過軸
に沿う直線偏光に変換され、液晶層２３に入射する。
【００６２】
そして、液晶層２３がオフ状態（非選択状態）であれば、液晶層２３に入射した直線偏
光は、入射時と同一の偏光状態で液晶層２３から出射する。この直線偏光は、直線偏光と
直交する透過軸を有する偏光板２５に吸収されて、サブ画素領域が暗表示となる。
【００６３】
一方、液晶層２３がオン状態（選択状態）であれば、液晶層２３に入射した直線偏光は
、液晶層２３により所定の位相差（１／２波長）が付与されて、入射時の偏光方向から９
０°回転した直線偏光に変換されて液晶層２３から出射する。この直線偏光は、偏光板２
５の透過軸と平行であるため、偏光板２５を透過して表示光として視認され、サブ画素領
域が明表示となる。
【００６４】
以上より、本実施形態における液晶表示装置１は、オフ状態において暗表示となる、ノ
ーマリブラックモードを用いた液晶表示装置となっている。
【００６５】
ここで、オン状態において液晶層２３により付与される位相差について説明する。
【００６６】
まず、画素電極１１と共通電極４１との間に電圧を印加すると、複数の帯状電極１１ｂ
の延在方向と直交する方向に沿って液晶分子が配向する。このため、液晶層２３に入射し
た光に位相差が付与されるが、付与される位相差は波長域が短くなるほど小さくなる。し
たがって、付与される位相差は、赤色光の波長域、緑色光の波長域、青色光の波長域の順
で小さくなる。
【００６７】
また、液晶層２３によって付与される位相差は、横電界による液晶分子の回転角度が大
きくなるほど大きくなる。ここで、上述したように、横電界の発生方向が複数の帯状電極
１１ｂの配置方向とほぼ同方向であるため、帯状電極１１ｂの延在方向に対して直交する
方向に横電界が発生することになる。したがって、液晶層２３によって付与される位相差
は、延在方向と初期状態における配向方向とのなす角が大きいほど小さくなる。
【００６８】
このとき、緑の色表示を行うサブ画素領域では、帯状電極１１ｂの延在方向と配向膜３
４の配向方向とのなす角度を５°とすることにより、液晶層２３に入射した直線偏光のう
ち、緑色光に対して１／２波長分の位相差が付与される。そして、緑色光よりも長波長域
の光に対して１／２波長分よりも大きい位相差が付与され、緑色光よりも短波長域の光に
対して１／２波長分よりも小さい位相差が付与される。
【００６９】
また、赤の色表示を行うサブ画素領域では、帯状電極１１ｂの延在方向と配向膜３４の
配向方向とのなす角度を７°として緑の色表示を行うサブ画素領域よりも角度を２°大き
くしている。このため、赤の色表示を行うサブ画素領域では、液晶層２３によって付与さ
れる位相差が緑の色表示を行うサブ画素領域と比較して小さくなる。これにより、赤色光
に対して１／２波長分の位相差が付与される。そして、赤色光よりも長波長域の光に対し
て１／２波長分よりも大きい位相差が付与され、赤色光よりも短波長域の光に対して１／
２波長分よりも小さい位相差が付与される。
【００７０】
そして、青の色表示を行うサブ画素領域では、帯状電極１１ｂの延在方向と配向膜３４
の配向方向とのなす角度を３°として緑の色表示を行うサブ画素領域よりも角度を２°小
さくしている。これにより、上述と同様に、青色光に対して１／２波長分の位相差が付与
される。そして、青色光よりも長波長域の光に対して１／２波長分よりも大きい位相差が
付与され、青色光よりも短波長域の光に対して１／２波長分よりも小さい位相差が付与さ
れる。
なお、帯状電極１１ｂの延在方向と配向膜３４の配向方向とのなす角は、帯状電極１１
ｂの長さ方向の中央部における中心線と配向膜３４との配向方向とのなす角を示している
。
【００７１】
以上のようにして、各サブ画素領域で、表示する色の波長域に対して１／２波長分の位
相差が付与されることにより、光の輝度が最大となるときに画素電極１１及び共通電極４
１の間に印加される電圧の値がそろう。これにより、色味の少ない白表示が行われる。
【００７２】
ここで、画素電極１１と共通電極４１との間に印加する電圧と対向基板２２から出射す
る光の強度との関係を、図５に示す。なお、図５では、緑の色表示における輝度の最大値
を１としたときの相対的な輝度を示している。
【００７３】
図５に示すように、帯状電極１１ｂの延在方向と配向膜３４の配向方向とのなす角度を
サブ画素領域ごとに調整することで、各色で輝度が最大となるときに印加される電圧の値
をそろえることができることがわかる。これにより、同じ電圧を印加したときに色味を低
減した白表示を行うことができる。
【００７４】
〔電子機器〕
次に、上述した構成の液晶表示装置１を備える電子機器について説明する。ここで、図
６は、本発明の液晶表示装置を備える電子機器である携帯電話機を示す外観斜視図である
。
【００７５】
本実施形態における電子機器は、図６に示すような携帯電話機１００であって、本体部
１０１と、これに開閉可能に設けられた表示体部１０２とを有する。表示体部１０２の内
部には表示装置１０３が配置されており、電話通信に関する各種表示が表示画面１０４に
おいて視認可能となっている。また、本体部１０１には操作ボタン１０５が配列されてい
る。
【００７６】
そして、表示体部１０２の一端部には、アンテナ１０６が伸縮自在に取り付けられてい
る。また、表示体部１０２の上部に設けられた受話部１０７の内部には、スピーカ（図示
略）が内蔵されている。さらに、本体部１０１の下端部に設けられた送話部１０８の内部
には、マイク（図示略）が内蔵されている。
ここで、表示装置１０３には、図１に示す液晶表示装置１が用いられている。
【００７７】
以上のように、本実施形態における液晶表示装置１及びこれを備える携帯電話機１００
によれば、サブ画素領域ごとに配向膜３４の配向方向と帯状電極１１ｂとのなす角度を変
更することで、液晶層２３において付与される位相差をサブ画素領域で表示する色の波長
域でそろえることができる。これにより、各サブ画素領域で輝度が最大となるときに画素
電極１１と共通電極４１との間に印加される電圧が同等となり、色味を低減した白表示が
可能となる。
【００７８】
また、赤の色表示を行うサブ画素領域において、帯状電極１１ｂの延在方向と配向方向
とのなす角度を４°以上１０°以下である７°とすることで、白表示に赤味が足りなくな
ることや、白表示が赤味を帯びることをより確実に防止できる。同様に、緑の色表示を行
うサブ画素領域において、角度を２°以上８°以下である５°とすることで、白表示に緑
味が足りなくなることや、白表示が緑味を帯びることをより確実に防止できる。そして、
青の色表示を行うサブ画素領域において、角度を０°以上６°以下である３°とすること
で、白表示に青味が足りなくなることや、白表示が青味を帯びることをより確実に防止で
きる。
【００７９】
そして、帯状電極１１ｂの延在方向と配向膜３４の配向方向とのなす角を、配向膜３４
の配向方向を変えることなく異ならせているので、配向膜３４に対する配向処理を容易に
行うことができる。
【００８０】
［第２の実施形態］
次に、本発明における液晶表示装置の第２の実施形態を、図面に基づいて説明する。な
お、本実施形態では、第１の実施形態と画素電極の構成が異なるため、この点を中心に説
明すると共に、上記実施形態で説明した構成要素には同一符号を付し、その説明を省略す
る。ここで、図７は液晶表示装置のサブ画素領域を示す部分拡大平面構成図である。
【００８１】
本実施形態における液晶表示装置１１０は、図７に示すように、画素電極１１１が平面
視でほぼ櫛歯形状となっている。すなわち、画素電極１１１は、帯状の接続部１１１ａと
、接続部１１１ａから分岐して互いに平行となるように複数（１５本）配置された帯状電
極１１１ｂとを備えている。
接続部１１１ａは、データ線１４に近接して形成されており、ほぼＹ軸方向に沿って配
置されている。
帯状電極１１１ｂは、ほぼＸ軸方向に沿って延在すると共にＹ軸方向で間隔をあけて配
置されている。ここで、帯状電極１１１ｂは、そのデータ線１４に近接する側の端部が接
続部１１１ａに接続されていると共に、データ線１４から離間する側の端部が開放端とな
っている。したがって、複数の帯状電極１１１ｂの間に形成された間隙は、データ線１４
から離間する側が−Ｘ側で隣接する他のサブ画素領域に向けて開放する開放端部１１１ｃ
となっている。
【００８２】
ここで、赤の色表示を行うサブ画素領域における帯状電極１１１ｂそれぞれの延在方向
と、液晶分子の初期配向状態における配向方向である配向膜（図示略）の配向方向とのな
す角は、７°となっている。また、緑の色表示を行うサブ画素領域における帯状電極１１
１ｂそれぞれの延在方向と、配向膜の配向方向とのなす角は、５°となっている。そして
、青の色表示を行うサブ画素領域における帯状電極１１１ｂそれぞれの延在方向と、配向
膜の配向方向とのなす角は、３°となっている。
【００８３】
以上のような構成の液晶表示装置１１０においても、上述と同様の作用、効果を奏する
が、帯状電極１１１ｂの一端を開放端にすることで開口率が向上する。なお、本実施形態
において、帯状電極１１１ｂは、データ線１４から離間する側の一端を開放端としている
が、データ線１４に近接する側の一端を開放端とする構成としてもよい。
【００８４】
［第３の実施形態］
次に、本発明における液晶表示装置の第２の実施形態を、図面に基づいて説明する。な
お、本実施形態では、第１の実施形態と画素電極の構成が異なるため、この点を中心に説
明すると共に、上記実施形態で説明した構成要素には同一符号を付し、その説明を省略す
る。ここで、図８は液晶表示装置のサブ画素領域を示す部分拡大平面構成図である。
【００８５】
本実施形態における液晶表示装置１２０は、図８に示すように、画素電極１２１が枠部
１１ａとほぼＹ軸方向に延在（データ線１４に対して所定の角度を有して斜めに延在）す
ると共にＸ軸方向（サブ画素領域の短軸方向）で間隔をあけて互いに平行となるように複
数配置された帯状電極１２１ａとを備えている。帯状電極１２１ａは、その両端がそれぞ
れ枠部１１ａにおけるＸ軸方向に延在する部分に接続されており、互いに導通している。
なお、帯状電極１２１ａを被覆する配向膜（図示略）の配向方向は、図９に示す矢印Ｒ
７方向となっている。また、対向基板（図示略）に設けられた配向膜（図示略）の配向方
向も、帯状電極１２１ａを被覆する配向膜の配向方向と同方向（ただし逆向き）となって
いる。
【００８６】
ここで、赤の色表示を行うサブ画素領域における帯状電極１２１ａの延在方向と、図９
に示すように矢印Ｒ８方向であって配向膜の配向方向とのなす角は、７°となっている。
また、緑の色表示を行うサブ画素領域における帯状電極１２１ａの延在方向と、図９に示
すように矢印Ｒ９方向であって配向膜の配向方向とのなす角は、５°となっている。そし
て、青の色表示を行うサブ画素領域における帯状電極１２１ａの延在方向と、図９に示す
ように矢印Ｒ１０方向であって配向膜の配向方向とのなす角は、３°となっている。
【００８７】
以上のような構成の液晶表示装置１２０においても、上述と同様の作用、効果を奏する
。なお、本実施形態において、上述した第２の実施形態と同様に、帯状電極１２１ａの一
端を開放端としてもよい。
【００８８】
［第４の実施形態］
次に、本発明における液晶表示装置の第４の実施形態を、図面に基づいて説明する。な
お、本実施形態では、第１の実施形態と画素電極の構成が異なるため、この点を中心に説
明すると共に、上記実施形態で説明した構成要素には同一符号を付し、その説明を省略す
る。ここで、図１０は液晶表示装置のサブ画素領域を示す部分拡大平面構成図である。
【００８９】
本実施形態における液晶表示装置１３０は、図１０に示すように、画素電極１３１がい
わゆるマルチドメイン構造となっている。すなわち、画素電極１３１を構成する帯状電極
１３１ａの延在方向は、サブ画素領域において走査線１６に近接する側の半分の領域と走
査線１６から離間する側の他の半分の領域で異なっている。
【００９０】
複数の帯状電極１３１ａのうち走査線１６に近接する側の半分の領域に形成された帯状
電極１３１ｂは、データ線１４から離間するにしたがって走査線１６から離間するように
延在しいている。また、複数の帯状電極１３１ａのうち走査線１６から離間する側の半分
の領域に形成された帯状電極１３１ｃは、データ線１４から離間するにしたがって走査線
１６に近接するように延在している。
【００９１】
ここで、赤の色表示を行うサブ画素領域における帯状電極１３１ｂの延在方向と、液晶
分子の初期配向状態における配向方向である配向膜（図示略）の配向方向とのなす角は、
７°となっている。また、緑の色表示を行うサブ画素領域における帯状電極１３１ｂの延
在方向と、配向膜の配向方向とのなす角は、５°となっている。そして、青の色表示を行
うサブ画素領域における帯状電極１３１ｂの延在方向と、配向膜の配向方向とのなす角は
、３°となっている。
同様に、赤の色表示を行うサブ画素領域における帯状電極１３１ｃの延在方向と、液晶
分子の初期配向状態における配向方向である配向膜（図示略）の配向方向とのなす角は、
７°となっている。また、緑の色表示を行うサブ画素領域における帯状電極１３１ｃの延
在方向と、配向膜の配向方向とのなす角は、５°となっている。そして、青の色表示を行
うサブ画素領域における帯状電極１３１ｃの延在方向と、配向膜の配向方向とのなす角は
、３°となっている。なお、帯状電極１３１ｂの延在方向と帯状電極１３１ｃの延在方向
とは、配向膜の配向方向を基準として線対称となっている、。
【００９２】
以上のような構成の液晶表示装置１３０においても、上述と同様の作用、効果を奏する
。なお、上述した実施形態と同様に、帯状電極１３１ｂ、１３１ｃの一端を開放端として
もよく、１３１ｂ、１３１ｃの延在方向をほぼＹ軸方向（データ線１４に対して所定の角
度を有して斜め方向）としてもよい。
【００９３】
［第５の実施形態］
次に、本発明における液晶表示装置の第５の実施形態を、図面に基づいて説明する。な
お、本実施形態では、第１の実施形態と画素電極の構成が異なるため、この点を中心に説
明すると共に、上記実施形態で説明した構成要素には同一符号を付し、その説明を省略す
る。ここで、図１１は液晶表示装置のサブ画素領域を示す部分拡大平面構成図、図１２は
図１１のＢ−Ｂ’矢視断面図である。
【００９４】
本実施形態における液晶表示装置１４０は、図１１及び図１２に示すように、素子基板
１４１に設けられた画素電極１４２が共通電極１４３よりも外面側に配置されている。
すなわち、素子基板１４１は、図１２に示すように、基板本体３１と、基板本体３１の
内側の表面に順次積層されたゲート絶縁膜３２、層間絶縁膜３３、電極間絶縁膜（絶縁層
）１４４及び配向膜３４とを備えている。
【００９５】
また、素子基板１４１は、基板本体３１の内側の表面に配置された走査線１６及び容量
線１９と、ゲート絶縁膜３２の内側の表面に配置されたデータ線１４（図１１に示す）、
半導体層４２、ソース電極４３ドレイン電極４４及び容量電極４５と、層間絶縁膜３３の
内側の表面に配置された画素電極１４２と、電極間絶縁膜１４４の内側の表面に配置され
た共通電極１４３とを備えている。
【００９６】
電極間絶縁膜１４４は、例えば窒化シリコンや酸化シリコンなどの絶縁性を有する透光
性材料で構成されており、層間絶縁膜３３上に形成された画素電極１４２を被覆している
。
画素電極１４２は、平面視で図１１に示すＸ軸方向に沿って帯状に延在している。そし
て、画素電極１４２は、層間絶縁膜３３に形成されたコンタクトホールを介して容量電極
４５に接続されている。これにより、画素電極１４２とＴＦＴ素子１２のドレインとが接
続される。
【００９７】
共通電極１４３は、平面視でほぼ梯子形状であって、平面視で矩形の枠状の枠部１４３
ａと、ほぼＸ軸方向に延在すると共にＹ軸方向で間隔をあけて互いに平行となるように複
数（１５本）配置された帯状電極１４３ｂとを備えている。帯状電極１４３ｂの両端は、
それぞれ枠部１４３ａのうちのＹ軸方向に延在する部分に接続されている。
【００９８】
ここで、赤の色表示を行うサブ画素領域における帯状電極１４３ｂの延在方向と、液晶
分子の初期配向方向である配向膜３４の配向方向とのなす角は、７°となっている。また
、緑の色表示を行うサブ画素領域における帯状電極１４３ｂの延在方向と、配向膜３４の
配向方向とのなす角は、５°となっている。そして、青の色表示を行うサブ画素領域にお
ける帯状電極１４３ｂの延在方向と、配向膜３４の配向方向とのなす角は、３°となって
いる。
【００９９】
以上のような構成の液晶表示装置１４０においても、上述と同様の作用、効果を奏する
。なお、本実施形態において、共通電極１４３は、上述した第２の実施形態や第３の実施
形態と同様の構成としてもよく、第４の実施形態と同様にマルチドメイン構造としてもよ
い。
【０１００】
なお、本発明は上記実施形態に限定されるものではなく、本発明の趣旨を逸脱しない範
囲において種々の変更を加えることが可能である。
例えば、上記実施形態では、画素電極を層間絶縁膜上に形成して共通電極を基板本体上
に形成しているが、絶縁層を介して画素電極と共通電極とが配置されていればよく、共通
電極を層間絶縁膜上に形成して画素電極を基板本体上に形成してもよい。ここで、画素電
極と共通電極とのうち液晶層側に配置される側の一方の電極の形状は、画素電極と共通電
極との間で発生した電界が液晶層を経由できる形状であれば、上述した実施形態の電極に
開口されたスリット（帯状電極の間隔）を有した構成以外に、平面視でほぼ櫛歯形状など
、他の形状であってもよい。
【０１０１】
また、共通電極は、走査線及び容量線と共に素子基板上に形成されているが、画素電極
と絶縁層を介して配置されていればよく、走査線及び容量線と異なる層上に形成してもよ
い。
【０１０２】
また、配向膜の配向方向を各サブ画素領域で同方向として画素電極を構成する帯状電極
の延在方向を各サブ画素領域で異ならせているが、帯状電極の延在方向を同方向として配
向膜の配向方向をサブ画素領域ごとに異ならせてもよい。
そして、帯状電極は、配向膜の配向方向に対して平面視で左回りの角度が付与されるよ
うな延在方向となっているが、平面視で右回りの角度が付与されるような延在方向であっ
てもよい。
【０１０３】
また、赤の色表示を行うサブ画素領域において、帯状電極の延在方向と配向膜の配向方
向とのなす角度は、７°に限らず４°以上１０°以下であればよく、他のサブ画素領域と
の間で色味を低減した白表示を行うことができると共に他のサブ画素領域との間で表示す
る色の波長域が短くなるにしたがって角度が相対的に小さくなるのであれば、他の角度で
あってもよい。同様に、緑の色表示を行うサブ画素領域において、帯状電極の延在方向と
配向膜の配向方向とのなす角度は、５°に限らず２°以上８°以下であればよく、他の角
度であってもよい。そして、同様に、青の色表示を行うサブ画素領域において、帯状電極
の延在方向と配向膜の配向方向とのなす角度は、３°に限らず０°以上６°以下であれば
よく、他の角度であってもよい。さらに、各サブ画素領域における角度の差を２°として
いるが、他の角度であってもよい。
【０１０４】
例えば、赤の色表示を行うサブ画素領域において帯状電極の延在方向と配向膜の配向方
向とのなす角度を１２°以上１７°以下、緑の色表示を行うサブ画素領域において帯状電
極の延在方向と配向膜の配向方向とのなす角度を７°以上１２°以下、青の色表示を行う
サブ画素領域において帯状電極の延在方向と配向膜の配向方向とのなす角度を０°以上５
°以下としてもよい。
ここで、赤の色表示を行うサブ画素領域において帯状電極の延在方向と配向膜の配向方
向とのなす角度を１５°、緑の色表示を行うサブ画素領域において帯状電極の延在方向と
配向膜の配向方向とのなす角度を１０°、青の色表示を行うサブ画素領域において帯状電
極の延在方向と配向膜の配向方向とのなす角度を３°としたときの画素電極と共通電極と
の間に印加する電圧と対向基板から出射する光の強度との関係を、図１３に示す。なお、
図１３では、図５と同様に、緑の色表示における輝度の最大値を１としたときの相対的な
輝度を示している。図１３に示すように、帯状電極の延在方向と配向膜の配向方向とのな
す角度をサブ画素領域ごとに調整することで、各色で輝度が最大となるときに印加される
電圧の値をそろえることができることがわかる。これにより、同じ電圧を印加したときに
色味を低減した白表示を行うことができる。
なお、赤の色表示を行うサブ画素領域における角度と緑の色表示を行うサブ画素領域に
おける角度との差を５°、緑の色表示を行うサブ画素領域における角度と青の色表示を行
うサブ画素領域における角度との差を７°としているが、他の角度であってもよい。
【０１０５】
また、赤の色表示を行うサブ画素領域において帯状電極の延在方向と配向膜の配向方向
とのなす角度を１８°以上２３°以下、緑の色表示を行うサブ画素領域において帯状電極
の延在方向と配向膜の配向方向とのなす角度を１３°以上１８°以下、青の色表示を行う
サブ画素領域において帯状電極の延在方向と配向膜の配向方向とのなす角度を２°以上７
°以下としてもよい。
ここで、赤の色表示を行うサブ画素領域において帯状電極の延在方向と配向膜の配向方
向とのなす角度を２０°、緑の色表示を行うサブ画素領域において帯状電極の延在方向と
配向膜の配向方向とのなす角度を１５°、青の色表示を行うサブ画素領域において帯状電
極の延在方向と配向膜の配向方向とのなす角度を５°としたときの画素電極と共通電極と
の間に印加する電圧と対向基板から出射する光の強度との関係を、図１４に示す。なお、
図１４では、図５と同様に、緑の色表示における輝度の最大値を１としたときの相対的な
輝度を示している。図１４に示すように、帯状電極の延在方向と配向膜の配向方向とのな
す角度をサブ画素領域ごとに調整することで、各色で輝度が最大となるときに印加される
電圧の値をそろえることができることがわかる。これにより、同じ電圧を印加したときに
色味を低減した白表示を行うことができる。
なお、赤の色表示を行うサブ画素領域における角度と緑の色表示を行うサブ画素領域に
おける角度との差を５°、緑の色表示を行うサブ画素領域における角度と青の色表示を行
うサブ画素領域における角度との差を１１°としているが、他の角度であってもよい。
【０１０６】
また、帯状電極の形状は、各色表示を行うサブ画素領域において少なくとも長さ方向の
中央部における幅方向の中心線と配向膜の配向方向とのなす角が上述した関係を満たせば
よく、長さ方向に沿って幅が変化する形状としてもよい。
【０１０７】
また、液晶表示装置は、画素電極をスイッチング制御する駆動素子としてＴＦＴ素子を
用いているが、ＴＦＴ素子に限らず、ＴＦＤ（Thin Film Diode：薄膜ダイオード）素子
など、他の駆動素子を用いてもよい。
【０１０８】
また、液晶表示装置は、ノーマリブラックモードを採用しているが、ノーマリホワイト
モードを採用してもよい。
【０１０９】
また、液晶表示装置は、透過型の表示装置としているが、半透過反射型の液晶表示装置
や反射型の液晶表示装置であってもよい。
【０１１０】
そして、液晶表示装置は、Ｒ、Ｇ、Ｂの３色の色表示を行うカラー液晶表示装置として
いるが、白表示を行うことが可能であれば、他の色表示を行うサブ画素領域を備える構成
としてもよい。ここで、対向基板にカラーフィルタ層を設けずに、素子基板にカラーフィ
ルタ層を設けてもよい。
【０１１１】
さらに、電子機器は、液晶表示装置を備えていれば上述した携帯電話機に限らず、電子
ブックやパーソナルコンピュータ、デジタルスチルカメラ、液晶テレビ、ビューファイン
ダ型またはモニタ直視型のビデオテープレコーダ、カーナビゲーション装置、ページャ、
電子手帳、電卓、ワードプロセッサ、ワークステーション、テレビ電話、ＰＯＳ端末、タ
ッチパネルを備えた機器などの画像表示手段であってもよい。
【図面の簡単な説明】
【０１１２】
【図１】第１の実施形態における液晶表示装置を示す回路構成図である。
【図２】液晶表示装置のサブ画素領域を示す平面構成図である。
【図３】図２のＡ−Ａ’矢視断面図である。
【図４】図２の光学軸配置を示す説明図である。
【図５】各サブ画素領域における印加電圧と輝度との関係を示すグラフである。
【図６】本発明の携帯電話機を示す外観斜視図である。
【図７】第２の実施形態の液晶表示装置のサブ画素領域を示す平面構成図である。
【図８】第３の実施形態の液晶表示装置のサブ画素領域を示す平面構成図である。
【図９】図８の光学軸配置を示す説明図である。
【図１０】第４の実施形態の液晶表示装置のサブ画素領域を示す平面構成図である。
【図１１】第５の実施形態の液晶表示装置のサブ画素領域を示す平面構成図である。
【図１２】図１１のＢ−Ｂ’矢視断面図である。
【図１３】各サブ画素領域における印加電圧と輝度との関係を示すグラフである。
【図１４】各サブ画素領域における印加電圧と輝度との関係を示すグラフである。
【符号の説明】
【０１１３】
１，１１０，１２０，１３０，１４０  液晶表示装置、１１，１１１，１２１，１３１，
１４２  画素電極（第１電極）、１１ｂ，１１１ｂ，１２１ａ，１３１ａ〜ｃ，１４３ｂ
帯状電極（帯状部）、１２  ＴＦＴ素子（駆動素子）、２１，１４１  素子基板（一方
の基板）、２２  対向基板（他方の基板）、２３  液晶層、３２  ゲート絶縁膜（絶縁層
）、３３  層間絶縁膜（絶縁層）、３４，１４５  配向膜、４１，１４３  共通電極（第
２電極）、１００  携帯電話機（電子機器）、１１１ａ  接続部、１４４  電極間絶縁膜
（絶縁層）
【図１】
2008090280.tif 000003
【図２】
2008090280.tif 000004
【図３】
2008090280.tif 000005
【図４】
2008090280.tif 000006
【図５】
2008090280.tif 000007
【図６】
2008090280.tif 000008
【図７】
2008090280.tif 000009
【図８】
2008090280.tif 000010
【図９】
2008090280.tif 000011
【図１０】
2008090280.tif 000012
【図１１】
2008090280.tif 000013
【図１２】
2008090280.tif 000014
【図１３】
2008090280.tif 000015
【図１４】
2008090280.tif 000016